(57)【要約】【課題】印刷ジョブを実行する画像形成装置を他の画像形成装置に変更する。【解決手段】サーバー装置３００は、受付部６０１と、送信部６０２とを備える。受付部６０１は、スマートフォン２００から第１印刷指示ＳＰ１を受け付ける。第１印刷指示ＳＰ１は、第１画像形成装置１０１が印刷ジョブＪＢを実行する旨の指示を示す。送信部６０２は、第１画像形成装置１０１に印刷データＰＤを送信する。受付部６０１が、変更指示ＳＣを、スマートフォン２００から受け付ける。変更指示ＳＣは、印刷ジョブＪＢを実行する画像形成装置を第１画像形成装置１０１から第２画像形成装置１０２に変更する旨の指示を示す。送信部６０２は、消去指示ＳＥを第１画像形成装置１０１に送信し、第２画像形成装置１０２に印刷データＰＤを送信する。消去指示ＳＥは印刷データＰＤを消去する旨の指示を示す。【選択図】図３
2018195157.tif 000002
【特許請求の範囲】
【請求項１】
サーバー装置と複数の画像形成装置とを備え、外部端末装置と前記サーバー装置とが通信可能に接続され、前記サーバー装置と前記複数の画像形成装置とが通信可能に接続された画像形成システムであって、
前記サーバー装置は、
前記複数の画像形成装置のうち第１画像形成装置が印刷ジョブを実行する旨の指示を示す第１印刷指示を前記外部端末装置から受け付ける受付部と、
前記受付部が前記第１印刷指示を受け付けた場合に、前記印刷ジョブに対応する印刷データを前記第１画像形成装置に送信する第１送信部と
を備え、
前記受付部は、前記印刷ジョブを実行する画像形成装置を前記第１画像形成装置から前記第１画像形成装置とは相違する第２画像形成装置に変更する旨の指示を示す変更指示を、前記外部端末装置から受け付け、
前記受付部が前記変更指示を受け付けた場合に、前記第１送信部は、前記印刷データを消去する旨の指示を示す消去指示を前記第１画像形成装置に送信し、前記印刷データを前記第２画像形成装置に送信する、画像形成システム。
【請求項２】
前記受付部は、前記第１印刷指示を取り消す旨の指示を示す取消指示を前記外部端末装置から受け付け、
前記受付部が前記取消指示を受け付けた場合に、前記第１送信部は、前記消去指示を前記第１画像形成装置に送信する、請求項１に記載の画像形成システム。
【請求項３】
前記受付部は、前記複数の画像形成装置のうち前記第１画像形成装置又は前記第１画像形成装置とは相違する第３画像形成装置が前記印刷ジョブを実行する旨の指示を示す第２印刷指示を前記外部端末装置から受け付け、
前記受付部が前記第２印刷指示を受け付けた場合に、前記第１送信部は、前記第１画像形成装置及び前記第３画像形成装置に前記印刷データを送信する、請求項１又は請求項２に記載の画像形成システム。
【請求項４】
前記受付部は、前記第１画像形成装置及び前記第３画像形成装置のうちの一方から前記印刷ジョブの実行が完了した旨を示す完了通知を受け付け、
前記受付部が前記完了通知を受け付けた場合に、前記第１送信部は、前記消去指示を前記第１画像形成装置及び前記第３画像形成装置のうちの他方に送信する、請求項３に記載の画像形成システム。
【請求項５】
前記画像形成装置は、
前記サーバー装置から前記印刷ジョブに対応する印刷データを受信する受信部と、
前記印刷データを受信した時点からの経過時間が所定時間に到達したか否かを判定する判定部と、
前記経過時間が前記所定時間に到達したと前記判定部が判定した場合に、前記サーバー装置を介して前記外部端末装置に問合せ情報を送信する第２送信部と
を備え、
前記問合せ情報は、前記第１印刷指示を取り消すか否かと、前記印刷ジョブを実行する画像形成装置を他の画像形成装置に変更するか否かとのうちの少なくとも一方を示す、請求項１から請求項４のいずれか１項に記載の画像形成システム。
【請求項６】
サーバー装置と複数の画像形成装置とを備え、外部端末装置と前記サーバー装置とが通信可能に接続され、前記サーバー装置と前記複数の画像形成装置とが通信可能に接続された画像形成システムであって、
前記サーバー装置は、
前記複数の画像形成装置のうち第１画像形成装置又は前記第１画像形成装置とは相違する第２画像形成装置が印刷ジョブを実行する旨の指示を示す印刷指示を前記外部端末装置から受け付ける受付部と、
前記受付部が前記印刷指示を受け付けた場合に、前記印刷ジョブに対応する印刷データを前記第１画像形成装置及び前記第２画像形成装置に送信する送信部と
を備える、画像形成システム。
【請求項７】
外部端末装置及びサーバー装置と通信可能に接続された画像形成装置であって、
印刷ジョブに対応する印刷データを前記サーバー装置から受信する受信部と、
前記印刷データを受信した時点からの経過時間が所定時間に到達したか否かを判定する判定部と、
前記経過時間が前記所定時間に到達したと前記判定部が判定した場合に、前記サーバー装置を介して前記外部端末装置に問合せ情報を送信する送信部と
を備え、
前記問合せ情報は、前記印刷ジョブを取り消すか否かと、前記印刷ジョブを実行する画像形成装置を他の画像形成装置に変更するか否かとのうち少なくとも一方を示す、画像形成装置。
【発明の詳細な説明】
【技術分野】
【０００１】
本発明は、画像形成システム、及び画像形成装置に関する。
【背景技術】
【０００２】
特許文献１に記載のネットワークプリントシステムは、印刷データサーバー、及びネットワークプリンターを備える。印刷データサーバーは、印刷予約部、及び印刷予約管理データベースを備える。ネットワークプリンターは、印刷予約データベース、及び印刷料金徴収部を備える。印刷データサーバーの印刷予約部が印刷予約を受け付けて印刷予約情報を生成し、印刷予約情報を印刷予約管理データベースに登録する。印刷予約は、ネットワークプリンターでの印刷ジョブの実行を予約することを示す。印刷予約情報は、印刷ジョブを実行するネットワークプリンターを示すプリンター情報を含む。プリンター情報に対応するネットワークプリンターは、印刷データサーバーの印刷予約管理データベースから印刷予約データベースに印刷予約情報をダウンロードする。ネットワークプリンターの印刷料金徴収部は、印刷料金を徴収して、印刷予約情報に対応する印刷ジョブを実行する。
【先行技術文献】
【特許文献】
【０００３】
【特許文献１】特開２００６−１５５２５９号公報
【発明の概要】
【発明が解決しようとする課題】
【０００４】
特許文献１に記載のネットワークプリントシステムによれば、ユーザーが印刷予約をする際に指定したネットワークプリンターで印刷ジョブを実行することはできるが、他のネットワークプリンターで印刷ジョブを実行することは困難である。
【０００５】
例えば、ユーザーが自己の居住地の近傍の店舗に配置されているネットワークプリンターを指定して印刷予約をした後に、ユーザーの予定が変更され、遠隔地に長期出張することになった場合には、ユーザーが指定したネットワークプリンターで印刷ジョブを実行することは困難である。また、ユーザーは、出張先の近傍の店舗に配置されているネットワークプリンターで印刷ジョブを実行することも困難である。
【０００６】
本発明は、上記課題に鑑みてなされたものであり、印刷ジョブを実行する画像形成装置を他の画像形成装置に変更することが可能な画像形成システム、及び画像形成装置を提供することを目的としている。
【課題を解決するための手段】
【０００７】
本発明の第１局面の画像形成システムは、サーバー装置と複数の画像形成装置とを備え、外部端末装置と前記サーバー装置とが通信可能に接続され、前記サーバー装置と前記複数の画像形成装置とが通信可能に接続された画像形成システムである。前記サーバー装置は、受付部と、送信部とを備える。前記受付部は、前記外部端末装置から第１印刷指示を受け付ける。前記第１印刷指示は、前記複数の画像形成装置のうち第１画像形成装置が印刷ジョブを実行する旨の指示を示す。前記送信部は、前記受付部が前記第１印刷指示を受け付けた場合に、前記印刷ジョブに対応する印刷データを前記第１画像形成装置に送信する。前記受付部は、変更指示を前記外部端末装置から受け付ける。前記変更指示は、前記印刷ジョブを実行する画像形成装置を前記第１画像形成装置から前記第１画像形成装置とは相違する第２画像形成装置に変更する旨を示す。前記受付部が前記変更指示を受け付けた場合に、前記送信部は、消去指示を前記第１画像形成装置に送信し、前記印刷データを前記第２画像形成装置に送信する。前記消去指示は、前記印刷データを消去する旨の指示を示す。
【０００８】
本発明の第２局面の画像形成システムは、サーバー装置と複数の画像形成装置とを備え、外部端末装置と前記サーバー装置とが通信可能に接続され、前記サーバー装置と前記複数の画像形成装置とが通信可能に接続された画像形成システムである。前記サーバー装置は、受付部と、送信部とを備える。前記受付部は、前記外部端末装置から印刷指示を受け付ける。前記印刷指示は、前記複数の画像形成装置のうち第１画像形成装置又は前記第１画像形成装置とは相違する第２画像形成装置が印刷ジョブを実行する旨の指示を示す。前記受付部が前記印刷指示を受け付けた場合に、前記送信部は、前記印刷ジョブに対応する印刷データを前記第１画像形成装置及び前記第２画像形成装置に送信する。
【０００９】
本発明の画像形成装置は、外部端末装置及びサーバー装置と通信可能に接続された画像形成装置である。前記画像形成装置は、受信部と、判定部と、送信部とを備える。前記受信部は、前記サーバー装置から印刷ジョブに対応する印刷データを受信する。前記判定部は、前記印刷データを受信した時点からの経過時間が所定時間に到達したか否かを判定する。前記経過時間が前記所定時間に到達したと前記判定部が判定した場合に、前記送信部は、前記サーバー装置を介して外部端末装置に前記問合せ情報を送信する。前記問合せ情報は、前記印刷指示を取り消すか否かと、前記印刷ジョブを実行する画像形成装置を他の画像形成装置に変更するか否かとのうち少なくとも一方を示す。
【発明の効果】
【００１０】
本発明の画像形成システム、及び画像形成装置によれば、印刷ジョブを実行する画像形成装置を他の画像形成装置に変更できる。
【図面の簡単な説明】
【００１１】
【図１】本発明の実施形態に係る画像形成システムの構成を示す図である。
【図２】本発明の実施形態に係る画像形成装置の構成を示す図である。
【図３】本発明の実施形態に係る第１制御部及び第２制御部の構成を示す図である。
【図４】スマートフォンに表示する店舗選択画面の一例を示す画面図である。
【図５】第１制御部及び第２制御部の処理の一例を示す図である。
【図６】第１制御部及び第２制御部の処理の図５とは別の一例を示す図である。
【図７】第１制御部の処理の一例を示すフローチャートである。
【図８】第２制御部の処理の一例を示すフローチャートである。
【図９】第２制御部の処理の一例を示すフローチャートである。
【発明を実施するための形態】
【００１２】
以下、本発明の実施形態について、図面（図１〜図９）を参照しながら説明する。なお、図中、同一又は相当部分については同一の参照符号を付して説明を繰り返さない。
【００１３】
まず、図１を参照して、本発明の実施形態に係る画像形成システム１００Ｓの構成について説明する。図１に示すように、画像形成システム１００Ｓは、複数の画像形成装置１００と、複数のスマートフォン２００と、サーバー装置３００とを備える。複数の画像形成装置１００は、ネットワーク４００を介してサーバー装置３００と通信可能に接続される。また、サーバー装置３００は、ネットワーク４００を介して複数のスマートフォン２００と通信可能に接続される。
【００１４】
複数の画像形成装置１００は、いわゆる、複合機であって、通信機能を有する。複数の画像形成装置１００は、第１画像形成装置１０１、第２画像形成装置１０２及び第３画像形成装置１０３を含む。第１画像形成装置１０１、第２画像形成装置１０２及び第３画像形成装置１０３は、実質的に同一の構成を有するため、以下の説明において画像形成装置１００と総称する場合がある。
【００１５】
複数のスマートフォン２００は、通信機能を有する。スマートフォン２００は、「外部端末装置」の一例に相当する。複数のスマートフォン２００は、実質的に同一の構成を有するため、以下の説明においてスマートフォン２００と総称する場合がある。
【００１６】
サーバー装置３００は、ネットワーク４００を介して、複数のスマートフォン２００から印刷指示ＳＰを受信する。印刷指示ＳＰは、画像形成装置１００で印刷ジョブＪＢを実行する旨を示す。また、サーバー装置３００は、ネットワーク４００を介して、画像形成装置１００に印刷ジョブＪＢに対応する印刷データＰＤを送信する。
【００１７】
ネットワーク４００は、例えば、インターネットである。ネットワーク４００は、インターネットに限定されない。ネットワーク４００が、ＬＡＮ（Ｌｏｃａｌ  Ａｒｅａ  Ｎｅｔｗｏｒｋ）である形態でもよいし、ネットワーク４００が、ＷＡＮ（Ｗｉｄｅ  Ａｒｅａ  Ｎｅｔｗｏｒｋ）である形態でもよい。
【００１８】
次に、図１及び図２を参照して、本実施形態に係る画像形成装置１００の構成について説明する。図２は、画像形成装置１００の構成を示す図である。画像形成装置１００は、カラー複合機である。画像形成装置１００は、原稿Ｒに形成された画像を読み取ると共に、トナーを用いて用紙Ｐに画像を形成する。
【００１９】
図２に示すように、画像形成装置１００は、画像形成ユニット１、画像読取ユニット２、原稿搬送ユニット３、操作表示部４、及び第１制御部５を備える。画像形成ユニット１は、用紙Ｐに画像を形成する。画像読取ユニット２は、原稿Ｒに形成された画像を読み取り、画像情報を生成する。原稿搬送ユニット３は、原稿Ｒを画像読取ユニット２に搬送する。操作表示部４は、ユーザーからの操作を受け付ける。第１制御部５は、画像形成装置１００の動作を制御する。
【００２０】
画像形成ユニット１は、給送部１２、搬送部Ｌ、トナー供給部１３、画像形成部１４、定着部１６及び排出部１７を備える。画像形成部１４は、転写部１５を含む。
【００２１】
給送部１２は、用紙Ｐを搬送部Ｌへ供給する。搬送部Ｌは、用紙Ｐを転写部１５及び定着部１６を経由して排出部１７まで搬送する。
【００２２】
トナー供給部１３は、画像形成部１４にトナーを供給する。画像形成部１４は、用紙Ｐに画像を形成する。
【００２３】
転写部１５は、中間転写ベルト１５４を備える。画像形成部１４が、中間転写ベルト１５４上にシアン色、マゼンタ色、イエロー色、及び黒色のトナー像を転写する。複数色のトナー像が中間転写ベルト１５４上で重畳され、中間転写ベルト１５４上に画像が形成される。転写部１５は、中間転写ベルト１５４上に形成された画像を、用紙Ｐ上に転写する。その結果、用紙Ｐに画像が形成される。
【００２４】
定着部１６は、用紙Ｐを加熱及び加圧し、用紙Ｐに形成された画像を用紙Ｐに定着する。排出部１７は、用紙Ｐを画像形成装置１００の外部へ排出する。
【００２５】
画像読取ユニット２は、画像読取部２１を備える。画像読取部２１は、ＬＥＤ（Ｌｉｇｈｔ  Ｅｍｉｔｔｉｎｇ  Ｄｉｏｄｅ）、コンタクトガラス、結像レンズ及びイメージセンサーを備え、これらの各部材が一体化されたＣＩＳ（Ｃｏｎｔａｃｔ  Ｉｍａｇｅ  Ｓｅｎｓｏｒ）ユニットである。
【００２６】
操作表示部４は、タッチパネル４１を備える。タッチパネル４１は、例えば、ＬＣＤ（Ｌｉｑｕｉｄ  Ｃｒｙｓｔａｌ  Ｄｉｓｐｌａｙ）を備え、種々の画像を表示する。また、タッチパネル４１は、タッチセンサーを備え、ユーザーからの操作を受け付ける。
【００２７】
以上、図１及び図２を参照して説明したように、本発明の実施形態では、画像形成装置１００が用紙Ｐに画像を形成するが、本発明はこれに限定されない。画像形成装置１００が「記録媒体」に画像を形成すればよい。「記録媒体」は、例えば、ＯＨＰ（Ｏｖｅｒｈｅａｄ  ｐｒｏｊｅｃｔｏｒ）シートでもよい。
【００２８】
次に、図１〜図３を参照して、本発明の実施形態に係る第１制御部５及び第２制御部６の構成について説明する。図３は、第１制御部５及び第２制御部６の構成を示す図である。
【００２９】
図３に示すように、サーバー装置３００は、第２制御部６を備える。また、第１制御部５は、第１プロセッサー５Ａ及び第１記憶部５Ｂを備える。第１プロセッサー５Ａは、例えばＣＰＵ（Ｃｅｎｔｒａｌ  Ｐｒｏｃｅｓｓｉｎｇ  Ｕｎｉｔ）を備える。第１記憶部５Ｂは、半導体メモリーのようなメモリーを備え、ＨＤＤ（Ｈａｒｄ  Ｄｉｓｋ  Ｄｒｉｖｅ）を備えてもよい。第１記憶部５Ｂは、第１制御プログラムを記憶している。
【００３０】
また、第２制御部６は、第２プロセッサー６Ａ及び第２記憶部６Ｂを備える。第２プロセッサー６Ａは、例えばＣＰＵを備える。第２記憶部６Ｂは、半導体メモリーのようなメモリーを備え、ＨＤＤを備えてもよい。第２記憶部６Ｂは、第２制御プログラムを記憶している。
【００３１】
次に、第２プロセッサー６Ａの構成について説明する。第２プロセッサー６Ａは、受付部６０１、送信部６０２、受信部６０３及び消去部６０４を備える。具体的には、第２プロセッサー６Ａは、第２制御プログラムを実行することによって、受付部６０１、送信部６０２、受信部６０３及び消去部６０４として機能する。
【００３２】
受付部６０１は、スマートフォン２００から第１印刷指示ＳＰ１を受け付ける。
第１印刷指示ＳＰ１は、第１画像形成装置１０１が印刷ジョブＪＢを実行する旨の指示を示す。第１印刷指示ＳＰ１は、印刷指示ＳＰの一例に相当する。受付部６０１は、印刷ジョブＪＢに対応する印刷データＰＤを第２記憶部６Ｂに記憶する。印刷データＰＤは、画像データ、及び用紙Ｐのサイズを示すデータを含む。画像データは、用紙Ｐに形成する画像を示す。
【００３３】
また、受付部６０１は、スマートフォン２００から変更指示ＳＣを受け付ける。変更指示ＳＣは、印刷ジョブＪＢを実行する画像形成装置１００を第１画像形成装置１０１から第２画像形成装置１０２に変更する旨の指示を示す。第２画像形成装置１０２は、第１画像形成装置１０１とは相違する。
【００３４】
送信部６０２は、受付部６０１が第１印刷指示ＳＰ１を受け付けた場合に、第１画像形成装置１０１に印刷データＰＤを送信する。また、受付部６０１が変更指示ＳＣを受け付けた場合に、送信部６０２は、消去指示ＳＥを第１画像形成装置１０１に送信し、第２画像形成装置１０２に印刷データＰＤを送信する。消去指示ＳＥは、印刷データＰＤを消去する旨の指示を示す。送信部６０２は、「第１送信部」の一例に相当する。
【００３５】
受信部６０３は、スマートフォン２００及び画像形成装置１００から種々の情報を受信する。
【００３６】
消去部６０４は、第２記憶部６Ｂの印刷データＰＤを消去する。
【００３７】
次に、第１プロセッサー５Ａの構成について説明する。第１プロセッサー５Ａは、受信部５０１、実行部５０２、判定部５０３、送信部５０４、消去部５０５を備える。具体的には、第１プロセッサー５Ａは、第１制御プログラムを実行することによって、受信部５０１、実行部５０２、判定部５０３、送信部５０４、消去部５０５として機能する。送信部５０４は、「第２送信部」の一例に相当する。
【００３８】
受信部５０１は、サーバー装置３００から印刷データＰＤを受信する。受信部５０１は、印刷データＰＤを第１記憶部５Ｂに記憶する。また、受信部５０１は、サーバー装置３００から消去指示ＳＥを受信する。
【００３９】
実行部５０２は、ユーザーからの指示に基づいて、画像形成ユニット１に印刷ジョブＪＢを実行するように指示する。具体的には、実行部５０２は、画像形成ユニット１に、印刷データＰＤが示す画像を、印刷データＰＤが示すサイズの用紙Ｐに形成するように指示する。
【００４０】
判定部５０３は、経過時間ＴＰが所定時間ＴＡに到達したか否かを判定する。経過時間ＴＰは、印刷データＰＤを受信部５０１が受信した時点から経過した時間を示す。
【００４１】
送信部５０４は、経過時間ＴＰが所定時間ＴＡに到達したと判定部５０３が判定した場合に、サーバー装置３００を介してスマートフォン２００に問合せ情報ＱＪを送信する。問合せ情報ＱＪは、第１印刷指示ＳＰ１を取り消すか否かと、印刷ジョブＪＢを実行する画像形成装置１００を他の画像形成装置１００に変更するか否かとの両方を示す。また、「印刷ジョブＪＢを実行する画像形成装置１００を他の画像形成装置１００に変更する」とは、例えば、印刷ジョブＪＢを実行する画像形成装置１００を、第１画像形成装置１０１から第１画像形成装置１０１以外の画像形成装置１００に変更することを示す。第１画像形成装置１０１以外の画像形成装置１００は、例えば、第２画像形成装置１０２又は第３画像形成装置１０３を示す。
【００４２】
消去部５０５は、受信部５０１が消去指示ＳＥを受信した場合に、第１記憶部５Ｂの印刷データＰＤを消去する。
【００４３】
以上、図１〜図３を参照して説明したように、本発明の実施形態では、サーバー装置３００の受付部６０１が、スマートフォン２００から変更指示ＳＣを受け付ける。変更指示ＳＣは、印刷ジョブＪＢを実行する画像形成装置１００を第１画像形成装置１０１から第２画像形成装置１０２に変更する旨の指示を示す。そして、送信部６０２が、第１画像形成装置１０１に消去指示ＳＥを送信し、第２画像形成装置１０２に印刷データＰＤを送信する。したがって、印刷ジョブＪＢを実行する画像形成装置１００を第１画像形成装置１０１から第２画像形成装置１０２に変更できる。
【００４４】
次に、図１〜図４を参照して、スマートフォン２００に表示する店舗選択画面７００について説明する。図４は、スマートフォン２００に表示する店舗選択画面７００の一例を示す画面図である。店舗選択画面７００は、スマートフォン２００のタッチパネルに表示される。図４に示すように、店舗選択画面７００には、第１店舗選択部７１０、第２店舗選択部７２０、第３店舗選択部７３０、キャンセルボタン７４０及び決定ボタン７５０が表示されている。
【００４５】
第１店舗選択部７１０は、第１選択ボタン７１１と第１店舗表示部７１２とを備える。
【００４６】
第１選択ボタン７１１は、印刷ジョブＪＢを実行する画像形成装置１００として、第１画像形成装置１０１を選択する場合に、ユーザーがタッチするボタンを示す。第１画像形成装置１０１は、第１店舗Ｓ１に配置される。第１選択ボタン７１１をユーザーがタッチした場合には、印刷ジョブＪＢを実行する画像形成装置１００として、第１画像形成装置１０１が選択される。
【００４７】
第１店舗表示部７１２は、第１店舗Ｓ１の所在地を表示する。例えば、第１店舗Ｓ１の所在地は、「大阪市・・・」と表示される。
【００４８】
第２店舗選択部７２０は、第２選択ボタン７２１と第２店舗表示部７２２とを備える。
【００４９】
第２選択ボタン７２１は、印刷ジョブＪＢを実行する画像形成装置１００として、第２画像形成装置１０２を選択する場合に、ユーザーがタッチするボタンを示す。第２画像形成装置１０２は、第２店舗Ｓ２に配置される。第２選択ボタン７２１をユーザーがタッチした場合には、印刷ジョブＪＢを実行する画像形成装置１００として、第２画像形成装置１０２が選択される。
【００５０】
第２店舗表示部７２２は、第２店舗Ｓ２の所在地を表示する。例えば、第２店舗Ｓ２の所在地は、「京都市・・・」と表示される。
【００５１】
第３店舗選択部７３０は、第３選択ボタン７３１と第３店舗表示部７３２とを備える。
【００５２】
第３選択ボタン７３１は、印刷ジョブＪＢを実行する画像形成装置１００として、第３画像形成装置１０３を選択する場合に、ユーザーがタッチするボタンを示す。第３画像形成装置１０３は、第３店舗Ｓ３に配置される。第３選択ボタン７３１をユーザーがタッチした場合には、印刷ジョブＪＢを実行する画像形成装置１００として、第３画像形成装置１０３が選択される。
【００５３】
第３店舗表示部７３２は、第３店舗Ｓ３の所在地を表示する。例えば、第３店舗Ｓ３の所在地は、「神戸市・・・」と表示される。
【００５４】
キャンセルボタン７４０は、画像形成装置１００の選択状態をキャンセルする場合に、ユーザーがタッチするボタンを示す。キャンセルボタン７４０をユーザーがタッチした場合には、画像形成装置１００の選択状態がキャンセルされる。例えば、第１選択ボタン７１１をユーザーがタッチした場合には、第１画像形成装置１０１が選択状態になる。その後、キャンセルボタン７４０をユーザーがタッチした場合には、第１画像形成装置１０１の選択状態がキャンセルされる。すなわち、第１画像形成装置１０１が非選択状態になる。
【００５５】
決定ボタン７５０は、画像形成装置１００の選択状態を決定する場合に、ユーザーがタッチするボタンを示す。決定ボタン７５０をユーザーがタッチした場合には、画像形成装置１００の選択状態が決定される。例えば、第１選択ボタン７１１をユーザーがタッチした場合には、第１画像形成装置１０１が選択状態になる。その後、決定ボタン７５０をユーザーがタッチした場合には、第１画像形成装置１０１が印刷ジョブＪＢを実行する画像形成装置１００に決定される。
【００５６】
以上、図１〜図４を参照して説明したように、本発明の実施形態では、ユーザーが店舗選択画面７００を介して、印刷ジョブＪＢを実行する画像形成装置１００を選択する。また、店舗選択画面７００には、画像形成装置１００が配置される店舗の所在地が表示される。したがって、ユーザーは、印刷ジョブＪＢを実行する画像形成装置１００を容易に選択できる。
【００５７】
なお、本発明の実施形態では、ユーザーが１つの画像形成装置１００を選択するが、本発明はこれに限定されない。ユーザーが印刷ジョブＪＢを実行する画像形成装置１００を選択すればよい。例えば、ユーザーが複数の画像形成装置１００を選択する形態でもよい。
【００５８】
次に、図１〜図３及び図５を参照して、第１制御部５及び第２制御部６の処理について説明する。図５は、第１制御部５及び第２制御部６の処理の一例を示す図である。
図５に示すように、まず、ステップＳ１０１において、スマートフォン２００がサーバー装置３００に第１印刷指示ＳＰ１を送信する。第１印刷指示ＳＰ１は、第１画像形成装置１０１が印刷ジョブＪＢを実行する旨の指示を示す。
次に、ステップＳ１０３において、サーバー装置３００（受付部６０１）が第１印刷指示ＳＰ１を受け付け、サーバー装置３００（送信部６０２）が、第１画像形成装置１０１に印刷データＰＤを送信する。
次に、ステップＳ１０５において、第１画像形成装置１０１（受信部５０１）が、印刷データＰＤを受信する。
そして、ステップＳ１０７において、第１画像形成装置１０１（判定部５０３）が、経過時間ＴＰが所定時間ＴＡに到達したと判定し、第１画像形成装置１０１（送信部５０４）が、問合せ情報ＱＪをサーバー装置３００に送信する。経過時間ＴＰは、印刷データＰＤを受信部５０１が受信した時点から経過した時間を示す。問合せ情報ＱＪは、第１印刷指示ＳＰ１を取り消すか否かと、印刷ジョブＪＢを実行する画像形成装置１００を他の画像形成装置１００に変更するか否かとの両方を示す。
【００５９】
次に、ステップＳ１０９において、サーバー装置３００（受信部６０３）が問合せ情報ＱＪを受信し、サーバー装置３００（送信部６０２）が問合せ情報ＱＪをスマートフォン２００に送信する。
次に、ステップＳ１１１において、スマートフォン２００が、問合せ情報ＱＪを受信し、変更指示ＳＣをサーバー装置３００に送信する。変更指示ＳＣは、印刷ジョブＪＢを実行する画像形成装置１００を第１画像形成装置１０１から第２画像形成装置１０２に変更する旨の指示を示す。
次に、ステップＳ１１３において、サーバー装置３００（受信部６０３）が、変更指示ＳＣを受信し、サーバー装置３００（送信部６０２）が消去指示ＳＥを第１画像形成装置１０１に送信する。
次に、ステップＳ１１５において、第１画像形成装置１０１（受信部５０１）が消去指示ＳＥを受信し、第１画像形成装置１０１（消去部５０５）が第１記憶部５Ｂの印刷データＰＤを消去する。
【００６０】
次に、ステップＳ１１７において、サーバー装置３００（受信部６０３）が、印刷データＰＤを第２画像形成装置１０２に送信する。
次に、ステップＳ１１９において、第２画像形成装置１０２（受信部５０１）が印刷データＰＤを受信する。
そして、ステップＳ１２１において、第２画像形成装置１０２（実行部５０２）は、ユーザーからの指示を受け付けて、印刷ジョブＪＢを実行する。
次に、ステップＳ１２３において、第２画像形成装置１０２の画像形成ユニット１が印刷ジョブＪＢの実行を完了した場合に、第２画像形成装置１０２（送信部５０４）が、サーバー装置３００に完了通知ＭＦを送信する。完了通知ＭＦは、印刷ジョブＪＢの実行が完了した旨を示す。
次に、ステップＳ１２５において、サーバー装置３００（受付部６０１）が、完了通知ＭＦを受信して、サーバー装置３００（消去部６０４）が、第２記憶部６Ｂの印刷データＰＤを消去する。
次に、ステップＳ１２７において、第２画像形成装置１０２（消去部５０５）が、第１記憶部５Ｂの印刷データＰＤを消去する。
【００６１】
以上、図１〜図３及び図５を参照して説明したように、本発明の実施形態では、経過時間ＴＰが所定時間ＴＡに到達したと判定部５０３が判定した場合に、スマートフォン２００に、送信部５０４が、問合せ情報ＱＪを送信する。問合せ情報ＱＪは、第１印刷指示ＳＰ１を取り消すか否かと、印刷ジョブＪＢを実行する画像形成装置１００を他の画像形成装置１００に変更するか否かとの両方を示す。よって、第１印刷指示ＳＰ１を指示したユーザーは、第１印刷指示ＳＰ１を取り消すか、又は、印刷ジョブＪＢを実行する画像形成装置１００を他の画像形成装置１００に変更することができる。したがって、ユーザーの利便性を向上できる。また、第１印刷指示ＳＰ１が実行されずに放置されることを抑制できる。その結果、印刷データＰＤが蓄積して画像形成装置１００の第１記憶部５Ｂの空き容量が少なくなることを抑制できる。
【００６２】
また、受信部６０３が、変更指示ＳＣを受信した場合に、送信部６０２が消去指示ＳＥを第１画像形成装置１０１に送信する。そして、第１画像形成装置１０１の消去部５０５が、第１記憶部５Ｂの印刷データＰＤを消去する。したがって、印刷データＰＤの漏洩を抑制できる。
【００６３】
なお、本発明の実施形態では、問合せ情報ＱＪは、第１印刷指示ＳＰ１を取り消すか否かと、印刷ジョブＪＢを実行する画像形成装置１００を他の画像形成装置１００に変更するか否かとの両方を示すが、本発明はこれに限定されない。問合せ情報ＱＪが、第１印刷指示ＳＰ１を取り消すか否かと、印刷ジョブＪＢを実行する画像形成装置１００を他の画像形成装置１００に変更するか否かとのうちいずれか一方を示せばよい。
【００６４】
次に、図１〜図３及び図６を参照して、第１制御部５及び第２制御部６の処理について更に説明する。図６は、第１制御部５及び第２制御部６の処理の図５とは別の一例を示す図である。図５では、サーバー装置３００が第１印刷指示ＳＰ１を受け付けるが、図６では、サーバー装置３００が第２印刷指示ＳＰ２を受け付ける点で相違している。第２印刷指示ＳＰ２は、第１画像形成装置１０１又は第２画像形成装置１０２が印刷ジョブＪＢを実行する旨の指示を示す。
【００６５】
図６に示すように、まず、ステップＳ２０１において、スマートフォン２００がサーバー装置３００に第２印刷指示ＳＰ２を送信する。
次に、ステップＳ２０３において、サーバー装置３００（受付部６０１）が第２印刷指示ＳＰ２を受け付け、サーバー装置３００（送信部６０２）が、第１画像形成装置１０１に印刷データＰＤを送信する。
そして、ステップＳ２０５において、サーバー装置３００（送信部６０２）が、第２画像形成装置１０２に印刷データＰＤを送信する。
次に、ステップＳ２０７において、第１画像形成装置１０１（受信部５０１）が、印刷データＰＤを受信する。
次に、ステップＳ２０９において、第２画像形成装置１０２（受信部５０１）が、印刷データＰＤを受信する。
【００６６】
次に、ステップＳ２１１において、第１画像形成装置１０１（実行部５０２）は、ユーザーからの指示を受け付けて、印刷ジョブＪＢを実行する。
次に、ステップＳ２１３において、第１画像形成装置１０１の画像形成ユニット１が印刷ジョブＪＢの実行を完了した場合に、第１画像形成装置１０１（送信部５０４）が、サーバー装置３００に完了通知ＭＦを送信する。
次に、ステップＳ２１５において、第１画像形成装置１０１（消去部５０５）が、第１記憶部５Ｂの印刷データＰＤを消去する。
次に、ステップＳ２１７において、サーバー装置３００（受付部６０１）が、完了通知ＭＦを受信して、サーバー装置３００（消去部６０４）が、第２記憶部６Ｂの印刷データＰＤを消去する。
次に、ステップＳ２１９において、サーバー装置３００（送信部６０２）が、消去指示ＳＥを第２画像形成装置１０２に送信する。
次に、ステップＳ２２１において、第２画像形成装置１０２（受付部６０１）が、消去指示ＳＥを受け付けて、第２画像形成装置１０２（消去部５０５）が、第１記憶部５Ｂの印刷データＰＤを消去する。
【００６７】
以上、図１〜図３及び図６を参照して説明したように、本発明の実施形態では、受付部６０１が、第２印刷指示ＳＰ２を受け付けた場合に、送信部６０２は、第１画像形成装置１０１及び第２画像形成装置１０２に印刷ジョブＪＢに対応する印刷データＰＤを送信する。第２印刷指示ＳＰ２は、第１画像形成装置１０１又は第２画像形成装置１０２が印刷ジョブＪＢを実行する旨の指示を示す。よって、ユーザーは、第１画像形成装置１０１又は第２画像形成装置１０２で印刷ジョブＪＢを実行できる。したがって、ユーザーの利便性を向上できる。
【００６８】
また、受付部６０１が、第１画像形成装置１０１から完了通知ＭＦを受け付けた場合に、送信部６０２は、消去指示ＳＥを第２画像形成装置１０２に送信する。消去指示ＳＥは、印刷データＰＤを消去する旨の指示を示す。よって、第２画像形成装置１０２から印刷データＰＤが消去される。したがって、印刷データＰＤの漏洩を抑制できる。
【００６９】
なお、本発明の実施形態では、第２印刷指示ＳＰ２が、２つの画像形成装置１００（第１画像形成装置１０１及び第２画像形成装置１０２）の一方が印刷ジョブＪＢを実行する旨の指示を示すが、本発明はこれに限定されない。第２印刷指示ＳＰ２が、複数の画像形成装置１００のうち、いずれか１台の画像形成装置１００が印刷ジョブＪＢを実行する旨の指示を示せばよい。例えば、第２印刷指示ＳＰ２が、３台の画像形成装置１００のうち、いずれか１台の画像形成装置１００が印刷ジョブＪＢを実行する旨の指示を示す形態でもよい。
【００７０】
次に、図１〜図３及び図７を参照して、第１制御部５の処理について更に説明する。図７は、第１制御部５の処理の一例を示すフローチャートである。
図７に示すように、まず、ステップＳ３０１において、受信部５０１がサーバー装置３００から印刷データＰＤを受信したか否かを判定する。
印刷データＰＤを受信していないと受信部５０１が判定した場合（ステップＳ３０１でＮＯ）には、処理が待機状態になる。印刷データＰＤを受信したと受信部５０１が判定した場合（ステップＳ３０１でＹＥＳ）には、処理がステップＳ３０３に進む。
そして、ステップＳ３０３において、判定部５０３が、経過時間ＴＰが所定時間ＴＡ以上であるか否かを判定する。
経過時間ＴＰが所定時間ＴＡ以上であると判定部５０３が判定した場合（ステップＳ３０３でＹＥＳ）には、処理がステップＳ３０５に進む。経過時間ＴＰが所定時間ＴＡ以上ではないと判定部５０３が判定した場合（ステップＳ３０３でＮＯ）には、処理がステップＳ３０７に進む。
そして、ステップＳ３０５において、送信部５０４が、サーバー装置３００を介してスマートフォン２００に、問合せ情報ＱＪを送信する。
次に、ステップＳ３０９において、受信部５０１が完了通知ＭＦ又は取消指示ＳＤを受信したか否かを判定する。完了通知ＭＦは、印刷ジョブＪＢの実行が完了した旨を示す。取消指示ＳＤは、印刷ジョブＪＢを取り消す旨の指示を示す。
取消指示ＳＤを受信したと受信部５０１が判定した場合（ステップＳ３０９でＹＥＳ）には、処理がステップＳ３１７に進む。取消指示ＳＤを受信していないと受信部５０１が判定した場合（ステップＳ３０９でＮＯ）には、処理がステップＳ３０３に戻る。
【００７１】
ステップＳ３０３でＮＯの場合には、ステップＳ３０７において、実行部５０２がユーザーから印刷ジョブＪＢを実行する旨の指示を受け付けたか否かを判定する。
印刷ジョブＪＢを実行する旨の指示を受け付けていないと実行部５０２が判定した場合（ステップＳ３０７でＮＯ）には、処理がステップＳ３０９に進む。印刷ジョブＪＢを実行する旨の指示を受け付けたと実行部５０２が判定した場合（ステップＳ３０７でＹＥＳ）には、処理がステップＳ３１１に進む。
そして、ステップＳ３１１において、実行部５０２が印刷ジョブＪＢを実行する。
次に、ステップＳ３１３において、実行部５０２が印刷ジョブＪＢの実行が完了したか否かを判定する。
印刷ジョブＪＢの実行が完了していないと実行部５０２が判定した場合（ステップＳ３１３でＮＯ）には、処理がステップＳ３１１に戻る。印刷ジョブＪＢの実行が完了したと実行部５０２が判定した場合（ステップＳ３１３でＹＥＳ）には、処理がステップＳ３１５に進む。
そして、ステップＳ３１５において、送信部５０４が、完了通知ＭＦを送信する。
次に、ステップＳ３１７において、消去部５０５が第１記憶部５Ｂの印刷データＰＤを消去して、処理が終了する。
【００７２】
以上、図１〜図３及び図７を参照して説明したように、本発明の実施形態では、取消指示ＳＤを受信部５０１が受信した場合には、消去部５０５が第１記憶部５Ｂの印刷データＰＤを消去する。また、完了通知ＭＦを受信部５０１が受信した場合にも、消去部５０５が第１記憶部５Ｂの印刷データＰＤを消去する。したがって、印刷データＰＤの漏洩を更に抑制できる。
【００７３】
次に、図１〜図３、図８及び図９を参照して、第２制御部６の処理について更に説明する。図８及び図９は、第２制御部６の処理の一例を示すフローチャートである。
図８に示すように、まず、ステップＳ４０１において、受付部６０１が印刷指示ＳＰを受け付けたか否かを判定する。印刷指示ＳＰは、第１印刷指示ＳＰ１及び第２印刷指示ＳＰ２を含む。
印刷指示ＳＰを受け付けていないと受付部６０１が判定した場合（ステップＳ４０１でＮＯ）には、処理が待機状態になる。印刷指示ＳＰを受け付けたと受付部６０１が判定した場合（ステップＳ４０１でＹＥＳ）には、処理がステップＳ４０３に進む。
次に、ステップＳ４０３において、送信部６０２が、印刷指示ＳＰが示す画像形成装置１００に印刷データＰＤを送信する。具体的には、印刷指示ＳＰが第１印刷指示ＳＰ１である場合には、送信部６０２が第１画像形成装置１０１に印刷データＰＤを送信する。また、印刷指示ＳＰが第２印刷指示ＳＰ２である場合には、送信部６０２が第１画像形成装置１０１及び第２画像形成装置１０２に印刷データＰＤを送信する。
次に、ステップＳ４０５において、受信部６０３が問合せ情報ＱＪを受信したか否かを判定する。
問合せ情報ＱＪを受信していないと受信部６０３が判定した場合（ステップＳ４０５でＮＯ）には、処理がステップＳ４０９に進む。問合せ情報ＱＪを受信したと受信部６０３が判定した場合（ステップＳ４０５でＹＥＳ）には、処理がステップＳ４０７に進む。
そして、ステップＳ４０７において、送信部６０２が問合せ情報ＱＪをスマートフォン２００に送信する。
【００７４】
次に、ステップＳ４０９において、受付部６０１が変更指示ＳＣを受け付けたか否かを判定する。
変更指示ＳＣを受け付けていないと受付部６０１が判定した場合（ステップＳ４０９でＮＯ）には、処理が図９のステップＳ４１５に進む。変更指示ＳＣを受け付けたと受付部６０１が判定した場合（ステップＳ４０９でＹＥＳ）には、処理がステップＳ４１１に進む。
そして、ステップＳ４１１において、送信部６０２は、変更前の画像形成装置１００に取消指示ＳＤを送信する。変更前の画像形成装置１００は、例えば、第１画像形成装置１０１である。
次に、ステップＳ４１３において、送信部６０２は、変更後の画像形成装置１００に印刷データＰＤを送信し、処理が図９のステップＳ４１５に進む。変更後の画像形成装置１００は、例えば、第２画像形成装置１０２である。
【００７５】
次に、図９に示すように、ステップＳ４１５において、受信部６０３がスマートフォン２００から取消指示ＳＤを受信したか否かを判定する。
取消指示ＳＤを受信したと受信部６０３が判定した場合（ステップＳ４１５でＹＥＳ）には、処理がステップＳ４１７に進む。
そして、ステップＳ４１７で、送信部６０２が、印刷指示ＳＰが示す画像形成装置１００に取消指示ＳＤを送信し、処理がステップＳ４２５に進む。具体的には、印刷指示ＳＰが第１印刷指示ＳＰ１である場合には、送信部６０２が第１画像形成装置１０１に取消指示ＳＤを送信する。また、印刷指示ＳＰが第２印刷指示ＳＰ２である場合には、送信部６０２が第１画像形成装置１０１及び第２画像形成装置１０２に取消指示ＳＤを送信する。
取消指示ＳＤを受信していないと受信部６０３が判定した場合（ステップＳ４１５でＮＯ）には、処理がステップＳ４１９に進む。
そして、ステップＳ４１９において、受信部６０３が完了通知ＭＦを受信したか否かを判定する。
完了通知ＭＦを受信していないと受信部６０３が判定した場合（ステップＳ４１９でＮＯ）には、処理が図８のステップＳ４０５に戻る。完了通知ＭＦを受信したと受信部６０３が判定した場合（ステップＳ４１９でＹＥＳ）には、処理がステップＳ４２１に進む。
【００７６】
そして、ステップＳ４２１において、送信部６０２が、印刷指示ＳＰが第２印刷指示ＳＰ２であるか否かを判定する。
印刷指示ＳＰが第２印刷指示ＳＰ２ではないと送信部６０２が判定した場合（ステップＳ４２１でＮＯ）には、処理がステップＳ４２５に進む。印刷指示ＳＰが第２印刷指示ＳＰ２であると送信部６０２が判定した場合（ステップＳ４２１でＹＥＳ）には、処理がステップＳ４２３に進む。
そして、ステップＳ４２３において、送信部６０２が「他の画像形成装置１００」に取消指示ＳＤを送信する。「他の画像形成装置１００」とは、第２印刷指示ＳＰ２に基づいて印刷データＰＤを送信した画像形成装置１００のうち印刷ジョブＪＢを実行していない画像形成装置１００を示す。
例えば、第２印刷指示ＳＰ２に基づいて第１画像形成装置１０１と第２画像形成装置１０２とに印刷データＰＤを送信し、第１画像形成装置１０１が印刷ジョブＪＢを実行した場合には、他の画像形成装置１００とは、第２画像形成装置１０２を示す。
次に、ステップＳ４２５において、消去部６０４が第２記憶部６Ｂの印刷データＰＤを消去して、処理が終了する。
【００７７】
以上、図１〜図３、図８及び図９を参照して説明したように、本発明の実施形態では、印刷指示ＳＰが第１印刷指示ＳＰ１であるときには、受付部６０１がスマートフォン２００から取消指示ＳＤを受け付けた場合に、送信部６０２は、取消指示ＳＤを第１画像形成装置１０１に送信する。印刷ジョブＪＢを取り消す旨の指示を示す。そして、第１画像形成装置１０１が取消指示ＳＤを受信した場合には、消去部５０５が第１記憶部５Ｂの印刷データＰＤを消去する。よって、第１画像形成装置１０１から印刷データＰＤが消去される。したがって、印刷データＰＤの漏洩を更に抑制できる。
【００７８】
また、印刷指示ＳＰが第２印刷指示ＳＰ２であるときには、受付部６０１がスマートフォン２００から取消指示ＳＤを受け付けた場合に、送信部６０２は、取消指示ＳＤを第１画像形成装置１０１及び第２画像形成装置１０２に送信する。そして、第１画像形成装置１０１が取消指示ＳＤを受信した場合には、消去部５０５が第１記憶部５Ｂの印刷データＰＤを消去する。第２画像形成装置１０２が取消指示ＳＤを受信した場合には、消去部５０５が第１記憶部５Ｂの印刷データＰＤを消去する。よって、第１画像形成装置１０１及び第２画像形成装置１０２から印刷データＰＤが消去される。したがって、印刷データＰＤの漏洩を更に抑制できる。
【００７９】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（５））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００８０】
（１）図１〜図３を参照して説明したように、画像形成装置１００は店舗に配置されるが、本発明はこれに限定されない。画像形成システム１００Ｓが複数の画像形成装置１００を備えていればよい。例えば、画像形成装置１００が会社の営業所及び工場に配置されている形態でもよい。
【００８１】
（２）図１〜図３を参照して説明したように、外部端末装置が、「外部端末装置」がスマートフォン２００であるが、本発明はこれに限定されない。「外部端末装置」は、画像形成装置１００と通信可能に接続されていればよい。「外部端末装置」は、例えば、パーソナルコンピューターでもよいし、タブレット端末装置でもよい。
【００８２】
（３）図１〜図３を参照して説明したように、受付部６０１が第１印刷指示ＳＰ１を受け付けるが、本発明はこれに限定されない。受付部６０１が印刷指示ＳＰを受け付ければよい。例えば、受付部６０１が第２印刷指示ＳＰ２を受け付ける形態でもよい。
【００８３】
（４）図１〜図３を参照して説明したように、変更指示ＳＣが、印刷ジョブＪＢを実行する画像形成装置１００を第１画像形成装置１０１から第２画像形成装置１０２に変更する旨の指示を示すが、本発明はこれに限定されない。変更指示ＳＣが、印刷ジョブＪＢを実行する画像形成装置１００を第１画像形成装置１０１から複数の画像形成装置１００（例えば、第２画像形成装置１０２及び第３画像形成装置１０３）に変更する旨の指示を示す形態でもよい。
【００８４】
（５）図１〜図３を参照して説明したように、受付部６０１が、第１印刷指示ＳＰ１を取り消す旨の取消指示ＳＤを受け付けるが、本発明はこれに限定されない。受付部６０１が、印刷指示ＳＰを取り消す旨の取消指示を受け付ければよい。例えば、受付部６０１が、第２印刷指示ＳＰ２を取り消す旨の取消指示を受け付ける形態でもよい。
【産業上の利用可能性】
【００８５】
本発明は、画像形成システム、及び画像形成装置の分野に利用可能である。
【符号の説明】
【００８６】
１００Ｓ    画像形成システム
１００、１０１、１０２、１０３    画像形成装置
１    画像形成ユニット
２    画像読取ユニット
３    原稿搬送ユニット
４    操作表示部
４１    タッチパネル
５    第１制御部
５Ａ    第１プロセッサー
５０１    受信部
５０２    実行部
５０３    判定部
５０４    送信部（第２送信部）
５０５    消去部
５Ｂ    第１記憶部
２００    スマートフォン（外部端末装置）
３００    サーバー装置
６    第２制御部
６０１    受付部
６０２    送信部（第１送信部）
６０３    受信部
６０４    消去部
６Ａ    第２プロセッサー
４００    ネットワーク
Ｐ    用紙
Ｒ    原稿
ＪＢ    印刷ジョブ
ＰＤ    印刷データ
ＭＦ    完了通知
ＳＰ    印刷指示
ＳＰ１    第１印刷指示
ＳＰ２    第２印刷指示
ＳＣ    変更指示
ＳＤ    取消指示
ＳＥ    消去指示
ＱＪ    問合せ情報
【図１】
2018195157.tif 000003
【図２】
2018195157.tif 000004
【図３】
2018195157.tif 000005
【図４】
2018195157.tif 000006
【図５】
2018195157.tif 000007
【図６】
2018195157.tif 000008
【図７】
2018195157.tif 000009
【図８】
2018195157.tif 000010
【図９】
2018195157.tif 000011